(57)【要約】【課題】従来の歯科用治療ユニットに少々の改変を加えるだけで、非常に使い勝手の良いカウンセリング用ワークテーブルを提供する。【解決手段】歯科用うがい鉢６の給排水ボックス７内に回転自在に立設された排水管２３と、該排水管２３より径方向に延長する中空の排水管アーム２１と、該アーム２１の先端に取り付けられたうがい鉢６と、前記アーム２１に固定されたアーム２２と、該アーム２２の先端に取り付けられたワークテーブル２とを有する。前記うがい鉢６とワークテーブル２とは所定の間隔を置いて配設され、回転軸の回転により一体に回動されて、前記うがい鉢６はうがい位置に、前記ワークテーブル２はカウンセリング位置に移動可能である。【選択図】図１
2006110022.tif 000002
【特許請求の範囲】
【請求項１】
歯科用うがい鉢の給排水ボックス内に回転自在に立設された排水管と、該排水管より径方向に延長する排水管アームと、該排水管アームの先端に取り付けられた前記うがい鉢と、前記排水管アームに固定されたテーブルアームと、該テーブルアームの先端に取り付けられたテーブルとを有し、前記うがい鉢と前記テーブルとは所定の間隔を置いて配設され、回転軸の回動により一体に回動されて、前記うがい鉢はうがい位置に、前記テーブルはカウンセリング位置に移動可能であることを特徴とする歯科用スピットン装置。
【請求項２】
前記排水管アームは前記排水管と連通し、前記うがい鉢に排出された汚液を該排水管アーム及び前記排水管を通して排出するものであることを特徴とする請求項１に記載の歯科用スピットン装置。
【請求項３】
前記排水管アームに給排水管が取り付けられ、該排給水管の先端は前記うがい鉢の近傍に延長し、該先端部に噴水管及びコップ置きが設けられていることを特徴とする請求項２に記載の歯科用スピットン装置。
【請求項４】
請求項１乃至３のいずれかに記載のスピットン装置と、該スピットン装置の近傍に配設された歯科治療椅子とからなり、前記排水管の回動に応じて、前記うがい鉢は、うがい位置に、前記テーブルはカウンセリング位置に選択的に移動可能であることを特徴とする歯科用治療ユニット。
【請求項５】
前記歯科治療椅子は起倒可能であり、起時、該治療椅子の起動作に応じて前記うがい鉢がうがい位置に移動し、倒時、該治療椅子の倒動作に連動して前記うがい鉢がうがい位置から離れることを特徴とする請求項４に記載の歯科用治療ユニット。
【請求項６】
請求項４又は５に記載の歯科用治療ユニットにおいて、更に、ワークテーブルとインスツルメントホルダーを有し、該インスツルメントホルダーは前記ワークテーブルの前方に位置する使用状態位置と、前記ワークテーブルの下部後方に引退された非使用状態位置とに選択的に移動可能であることを特徴とする歯科用治療ユニット。
【発明の詳細な説明】
【技術分野】
【０００１】
本発明は、歯科用スピットン装置及び該歯科用スピットン装置を使用する歯科用治療ユニットに関する。
【背景技術】
【０００２】
図５は、歯科用治療ユニットの一例を説明するための要部概略構成図で、図中、１は歯科治療椅子、２はワークテーブル、３はインスツルメントホルダー、４はインスツルメント、５はインスツルメントホース、６はうがい鉢（スピットン）、７は給排水ボックス、８はフットスイッチで、インスツルメントホルダー３には、歯科治療において使用する種々のインスツルメント４が収納されており、周知のように、歯科治療に当たり、患者は治療椅子１に座り、頭を安頭台９に固定して治療を受ける。治療中、術者は治療椅子１を上下動，起倒，傾斜動等させて、患者を治療しやすい姿勢にして治療を行う。
【０００３】
図５に示した例においては、ワークテーブル２及びインスツルメントホルダー３は、治療椅子１に一体的に取り付けられている例を示したが、これらワークテーブル２及びインスツルメントホルダー３は、図６に示すように、治療椅子１から独立して自由に移動できるようにしてもよい。なお、図６において、２はワークテーブル、３はインスツルメントホルダー、４はインスツルメント、５はインスツルメントホース、１１は支柱、１２は基台、１３はキャスターで、ワークテーブル２及びインスツルメントホルダー３は、キャスター１３により任意所望の位置に自由に移動できるようになっている。
【発明の開示】
【発明が解決しようとする課題】
【０００４】
上述のごとき歯科用治療ユニットを使用して歯科治療を行うに当り、術者は患者に対して種々のカウンセリングを行うが、従来、カウンセリングを行うためのテーブルが備えられておらず、例えば、義歯等の見本を患者に見せながら説明をするとき、或いは、筆記しながら説明をするとき等において、非常に不便であった。
【０００５】
本発明は、上述のごとき実情に鑑みてなされたもので、特に、カウンセリング用のテーブルをうがい鉢（スピットン）と一体的に移動可能に設け、うがい時は、うがい鉢が患者のうがいしやすい位置に移動し、カウンセリング時は、カウンセリングテーブルが、カウンセリングしやすい位置、例えば、術者と患者とが共用できる位置に移動可能にし、従来の歯科用治療ユニットに少々の改変を加えるだけで、非常に使い勝手の良いカウンセリング用ワークテーブルを提供できるようにすることを目的としてなされたものである。
【課題を解決するための手段】
【０００６】
請求項１の発明は、歯科用うがい鉢の給排水ボックス内に回転自在に立設された排水管と、該排水管より径方向に延長する排水管アームと、該排水管アームの先端に取り付けられた前記うがい鉢と、前記排水管アームに固定されたテーブルアームと、該テーブルアームの先端に取り付けられたテーブルとを有し、前記うがい鉢と前記テーブルとは所定の間隔を置いて配設され、回転軸の回動により一体に回動されて、前記うがい鉢はうがい位置に、前記テーブルはカウンセリング位置に移動可能であることを特徴としたものである。
【０００７】
請求項２の発明は、請求項１に記載された歯科用スピットン装置において、前記排水管アームは前記排水管と連通し、前記うがい鉢に排出された汚液を該排水管アーム及び前記排水管を通して排出するものであることを特徴としたものである。
【０００８】
請求項３の発明は、請求項２に記載された歯科用スピットン装置において、前記排水管アームに給排水管が取り付けられ、該排給水管の先端は前記うがい鉢の近傍に延長し、該先端部に噴水管及びコップ置きが設けられていることを特徴としたものである。
【０００９】
請求項４の発明は、請求項１乃至３のいずれかに記載されたスピットン装置と、該スピットン装置の近傍に配設された歯科治療椅子とからなり、前記排水管の回動に応じて、前記うがい鉢は、うがい位置に、前記テーブルはカウンセリング位置に選択的に移動可能であることを特徴としたものである。
【００１０】
請求項５の発明は、請求項４に記載された歯科用治療ユニットにおいて、前記歯科治療椅子は起倒可能であり、起時、該治療椅子の起動作に応じて前記うがい鉢がうがい位置に移動し、倒時、該治療椅子の倒動作に連動して前記うがい鉢がうがい位置から離れることを特徴としたものである。
【００１１】
請求項６の発明は、請求項４又は５に記載された歯科用治療ユニットにおいて、更に、ワークテーブルとインスツルメントホルダーを有し、該インスツルメントホルダーは前記ワークテーブルの前方に位置する使用状態位置と、前記ワークテーブルの下部後方に引退された非使用状態位置とに選択的に移動可能であることを特徴としたものである。
【発明の効果】
【００１２】
本発明によると、従来の歯科用治療ユニットに少々の改変を行うだけで、非常に使い勝手の良い、カウンセリングワークテーブルを備えた歯科用治療ユニットを提供することができる。
【発明を実施するための最良の形態】
【００１３】
図１は、本発明による歯科用治療ユニットの一実施例を説明するための要部概略構成図で、図中、１は治療椅子、６はうがい鉢（スピットン）、７は給排水ボックスで、うがい鉢６は、給排水ボックス７に対して、矢印方向に回動可能に取り付けられており、うがい時、例えば、治療椅子１が起動された時に、矢印Ａ方向に回動し、患者がうがいしやすい位置に移動する。
【００１４】
図２（Ａ）は、うがい鉢６が患者のうがいしやすい位置に回動された時の、うがい鉢６の治療椅子１に対する位置関係を上方から見た図で、この状態で、患者は、治療椅子１に座った状態で、楽にうがいをすることができる。
【００１５】
図１において、２０は本発明によって付加されたカウンセリング用のテーブルで、該カウンセリング用テーブル２０は、うがい鉢６用の排水管アーム２１に、アーム２２を介して一体的に取り付けられており、うがい鉢６を前述のようにして回動した時に、該うがい鉢６と一体的に回動する。
【００１６】
図２（Ｂ）は、カウンセリング用テーブル２０が、カウンセリングしやすい位置に回動された時の、該カウンセリング用テーブル２０と患者（治療椅子１に起状態で座っている（図示せず））と術者Ｄとの位置関係を上方から見た図で、この状態で、術者と患者とはカウンセリング用テーブル２０を間に挟んで会話をすることができる。
【００１７】
なお、図１において、２３は給排水ボックス７内に垂直に配設された排水管で、該排水管２３はうがい鉢６の排水管アーム２１と連通し、該排水管アーム２１を通して排出されたうがい水を排出する。この排水管２３は、給排水ボックス７内に回動可能に取り付けられており、この排水管２３を手動又は電動で回動することにより、うがい鉢６及びカウンセリング用テーブル２０を、前述のように、うがい位置、及び、カウンセリング位置に移動することができる。
【００１８】
また、図１において、２５は噴水管、２６はコップ置きで、これら噴水管２５及びコップ置き２６は給排水管アーム２７を介して排水管アーム２１に連結され、該排水管アーム２１と一体的に回動されるので、うがい鉢６がうがいしやすい位置に来た時に、うがい水コップも患者が取りやすい位置に来ているので、患者は、いつでも楽な姿勢でうがいを行うことができる。
【００１９】
上述のごとくしてカウンセリングを行う場合、患者は、術者の顔を見ながら会話する機会が多く、その際、インスツルメントホルダーに備えられているインスツルメントが目に入り、恐怖感を覚える人が多い。このような場合を想定して、本発明においては、更に、ワークテーブル２及びインスツルメントホルダー３部を改良して、カウンセリング時、患者にインスツルメント４が見えにくくした。
【００２０】
図３は、上述のごときカウンセリングを行う際に使用して好適なワークテーブル２及びインスツルメントホルダー３の構成を説明するための図で、図３には、図６に示したキャスター付の移動用ワークテーブルを想定して示してあるが、図５に示した治療椅子と一体型のワークテーブルに適用することも可能である。
【００２１】
図３において、図３（Ａ）は、歯科治療時におけるインスツルメントホルダー３の状態を示し、この時、インスツルメントホルダー３はワークテーブル２の前面に押し出され、術者は、インスツルメント４を自由に出し入れして通常の歯科治療を行うことができる。図３（Ｂ）は、カウンセリング時のインスツルメントホルダー３の状態を示し、この時、インスツルメントホルダー３は、ワークテーブル２の前面下方に移動され、インスツルメント４は、患者の目から見にくい位置に移動されている。
【００２２】
図４は、図３に示したインスツルメントホルダー３の移動状態を説明するための図で、図中、実線位置が歯科治療時のインスツルメントホルダー３の位置、破線がカウンセリング時のインスツルメントホルダー３の位置を示し、図示のように、歯科治療時は、通常のインスツルメントホルダーと同様に作用し、術者は通常通りの歯科治療を行うことができ、カウンセリング時は、インスツルメント４は患者から見にくい位置に縮退されている。なお、このインスツルメントホルダー３の移動は、レバー３１と連結されているリンク機構を介して行われ、例えば、レバー３１を手動で回動することによって行うようにしてもよいが、その他、電動、油圧等の動力を用いて行うようにしてもよい。特に、手動で行う場合には、ダンパー機構を用い、手操作の遅速に関係なく、インスツルメントホルダー３がゆっくり動くようにするとよい。
【図面の簡単な説明】
【００２３】
【図１】本発明による歯科用治療ユニットの一実施例を説明するための要部概略構成図である。
【図２】うがい鉢と患者の位置関係を上方から見た図、及び、カウンセリングテーブルと患者と術者との位置関係を上方から見た図である。
【図３】カウンセリングを行う際に使用して好適なワークテーブル及びインスツルメントホルダーの構成を説明するための図である。
【図４】インスツルメントホルダーの歯科治療時の位置（実線）と、カウンセリング時の位置（破線）を示す図である。
【図５】歯科用治療ユニットの一例を説明するための要部概略構成図である。
【図６】キャスター付の移動用ワークテーブルの一例を示す図である。
【符号の説明】
【００２４】
１…歯科治療椅子、２…ワークテーブル、３…インスツルメントホルダー、４…インスツルメント、５…インスツルメントホース、６…うがい鉢（スピットン）、７…給排水ボックス、８…フットスイッチ、９…安頭台、１１…支柱、１２…基台、１３…キャスター、２０…カウンセリング用テーブル、２１…排水管アーム、２２…アーム、２３…排水管、２５…噴水管、２６…コップ置き、２７…給排水管アーム、３１…レバー。
【図１】
2006110022.tif 000003
【図２】
2006110022.tif 000004
【図３】
2006110022.tif 000005
【図４】
2006110022.tif 000006
【図５】
2006110022.tif 000007
【図６】
2006110022.tif 000008